(57)【要約】【課題】  液体の圧力が加わっても、良好な遮音性を維持する遮音部材を提供する。【解決手段】  液体中で使用される平板状の遮音部材１において、前記遮音部材１の内部であって厚さ方向の一方の側に設けられていると共に、前記長さ方向に垂直な平面による断面が、幅方向の一方の側から他方の側に向かうにしたがって広くなるような形状に形成されている第１の空間３と、前記遮音部材１の内部であって厚さ方向の他方の側に設けられていると共に、前記長さ方向に垂直な平面による断面が、幅方向の他方の側から一方の側に向かうにしたがって広くなるような形状に形成されている第２の空間５とを有し、厚さ方向から眺めたときに、前記第１の空間３の少なくとも一部と前記第２の空間５の少なくとも一部とが互いに重なり合っている。【選択図】図１
2006030228.tif 000002
【特許請求の範囲】
【請求項１】
液体中で使用される遮音部材において、
前記遮音部材の内部で前記遮音部材の一方の側に設けられている第１の空間と；
前記遮音部材の内部で前記遮音部材の他方の側に設けられていると共に、前記遮音部材の内部に存在している内部隔壁を間にして、前記第１の空間から離れて設けられている第２の空間と；
を有し、前記遮音部材の一方の側と前記遮音部材の他方の側とを互いに結ぶ方向から眺めたときに、前記第１の空間の少なくとも一部と前記第２の空間の少なくとも一部とが互いに重なり合っており、
前記遮音部材の外部の液体の圧力で、前記一方の側における前記遮音部材の外部と前記第１の空間との間に形成されている第１の隔壁が前記遮音部材の内側に撓み、前記第１の隔壁と前記内部隔壁とが互いに接触して第１の接触部が形成されるようになっており、
前記遮音部材の外部の液体の圧力で、前記他方の側における前記遮音部材の外部と前記第２の空間との間に形成されている第２の隔壁が前記遮音部材の内側に撓み、前記第２の隔壁と前記内部隔壁とが互いに接触して第２の接触部が形成されるようになっており、
前記遮音部材の一方の側と前記遮音部材の他方の側とを互いに結ぶ方向から眺めたときに、前記第１の接触部と前記第２の接触部とは、前記第１の空間と前記第２の空間とが互いに重なり合っている範囲内に存在していると共に、前記遮音部材の外部の液体の圧力が所定の大きさの圧力になるまでは、前記第１の接触部と前記第２の接触部とが異なったところに形成されるようになっていることを特徴とする遮音部材。
【請求項２】
請求項１に記載の遮音部材において、
前記遮音部材の外形は平板状に形成されており、
前記第１の空間は、前記遮音部材の厚さ方向の一方の側で、前記遮音部材の厚さ方向の端面に沿って広がって形成されており、
前記２の空間は、前記遮音部材の厚さ方向の他方の側で、前記遮音部材の厚さ方向の端面に沿って広がって形成されていることを特徴とする遮音部材。
【請求項３】
請求項２に記載に遮音部材において、
前記遮音部材の外部の液体の圧力が前記所定の大きさの圧力になるまでに形成される前記第１の接触部における前記第１の空間の厚さが、前記第１の接触部が形成される部位以外の部位における前記第１の空間の厚さよりも薄くなっており、
前記遮音部材の外部の液体の圧力が前記所定の大きさの圧力になるまでに形成される前記第２の接触部における前記第２の空間の厚さが、前記第２の接触部が形成される部位以外の部位における前記第２の空間の厚さよりも薄くなっていることを特徴とする遮音部材。
【請求項４】
請求項１〜請求項３のいずれか１項に記載の遮音部材において、
前記遮音部材の外部の液体の圧力が前記所定の大きさの圧力になるまでに形成される前記第１の接触部以外の部位を前記第１の空間に形成するための第１の補強部材が設けられており、
前記遮音部材の外部の液体の圧力が前記所定の大きさの圧力になるまでに形成される前記第２の接触部以外の部位を前記第２の空間に形成するための第２の補強部材が設けられていることを特徴とする遮音部材。
【請求項５】
請求項４に記載の遮音部材において、
前記補強部材は、前記遮音部材同士を互いに接続するための接続部材としての機能を備えた部材であることを特徴とする遮音部材。
【請求項６】
液体中で使用される平板状の遮音部材において、
前記遮音部材の内部であって前記遮音部材の厚さ方向の一方の側で前記遮音部材の幅方向に延伸し前記遮音部材の長さ方向に延伸して設けられていると共に、前記長さ方向に垂直な平面による断面が、前記遮音部材の幅方向の一方の側から他方の側に向かうにしたがって広くなるような形状に形成されている第１の空間と；
前記遮音部材の内部であって前記遮音部材の厚さ方向の他方の側で前記遮音部材の幅方向に延伸し前記遮音部材の長さ方向に延伸して前記第１の空間とは離れて設けられていると共に、前記長さ方向に垂直な平面による断面が、前記遮音部材の幅方向の前記他方の側から前記一方の側に向かうにしたがって広くなるような形状に形成されている第２の空間と；
を有し、前記遮音部材の厚さ方向から眺めたときに、前記第１の空間の少なくとも一部と前記第２の空間の少なくとも一部とが互いに重なり合っていることを特徴とする遮音部材。
【請求項７】
請求項６に記載の遮音部材において、
前記第１の空間の、前記遮音部材の幅方向の他方の側に位置している端部、この端部の近傍、または、前記遮音部材の幅方向の端部に補強部材が設けられていることを特徴とする遮音部材。
【請求項８】
請求項１〜請求項７のいずれか１項に記載の遮音部材において、
前記遮音部材の肉部は合成樹脂、ゴム等の高分子化合物で構成されていることを特徴とする遮音部材。
【請求項９】
液体中で使用される平板状の遮音部材において、
前記遮音部材の内部で前記遮音部材の幅方向に延伸し前記遮音部材の長さ方向に延伸して設けられている空間を有し、
前記遮音部材の肉部は、金属で構成されており、前記遮音部材の全体の比重が、前記液体の比重とほぼ等しいか、前記液体の比重よりも僅かに大きくなっていることを特徴とする遮音部材。
【請求項１０】
液体中で使用される遮音部材において、
前記遮音部材の内部には複数の空間が設けられており、
前記遮音部材の一方の側と前記遮音部材の他方の側とを互いに結ぶ方向から眺めたときに、前記各空間の少なくとも一部が互いに重なり合っており、
前記遮音部材の外部の液体の圧力により、前記各空間が変形し前記各空間の内壁の一部が互いに接触して接触部が形成されるようになっており、
前記遮音部材の一方の側と前記遮音部材の他方の側とを互いに結ぶ方向から眺めたときに、前記接触部は、前記各空間が重なり合っている範囲内に形成されると共に、前記遮音部材の外部の液体の圧力が所定の大きさの圧力になるまでは、前記各空間が重なり合っている全範囲をおおうように、前記各空間のうちのいずれかの空間の非接触部が存在していることを特徴とする遮音部材。
【発明の詳細な説明】
【技術分野】
【０００１】
本発明は、遮音部材に係り、特に、圧力の高い液体中で音を遮音するものに関する。
【背景技術】
【０００２】
従来、水中で使用される遮音板として、ゴム等を積層して内部に空間を設けた構成のもの（たとえば特許文献１参照）や、前記空間内に独立気泡ゴムやプラスチックハニカムを配置した構成のもの（たとえば特許文献２、特許文献３参照）が知られている。
【０００３】
ここで、水中で使用される遮音板の原理について説明する。
【０００４】
音は媒質が振動することによって伝達されるが、互いの性質が異なる媒質の境界においては音の一部が反射される。
【０００５】
たとえば、水中に鉄板を沈め、水中のある１箇所で音波を発生させると、この音波が前記鉄板に到達し、この鉄板で水との境界で、音波の一部が反射され他の一部が前記鉄板を媒質として前記鉄板中を伝わる。
【０００６】
仮に、前記鉄板での前記音波の反射率（反射係数）が大きいならば、音波は水と鉄板との境界で反射され前記鉄板内にはほとんど入り込まず、したがって、前記鉄板は遮音板として作用することになる。
【０００７】
一方、前記鉄板での前記音波の反射率が小さいと仮定すると、音波は前記鉄板内に入り込み、したがって、前記鉄板は遮音板として作用しないことになる。
【０００８】
互いの性質が異なる各媒質の境界における音波の反射率が高いか否かは、各媒質の密度ρと各媒質中での音速ｃとの積ρｃの値に依存する。この積ρｃの値の差（比）が大きいほど、反射率が高くなる。なお、前記積ρｃは、音波の伝達媒質の性質を表す物理定数であり、前記積ρｃを固有音響抵抗（ｓｐｅｃｉｆｉｃ  ａｃｏｕｓｔｉｃ  ｒｅｓｉｓｔａｎｃｅ）という場合がある。
【０００９】
たとえば、水の密度ρｗは、約１ｇ／ｃｍ３であり、水中での音速ｃｗは、約１５００ｍ／ｓｅｃであるので、前記音響抵抗ρｗｃｗは、約１５００（単位は省略）になる。また、ゴム（たとえばウレタンゴム）の密度ρｒは、約１．５ｇ／ｃｍ３であり、ゴム中での音速ｃｒは、約２０００ｍ／ｓｅｃであるので、前記音響抵抗ρｒｃｒは、約３０００（単位は省略）になる。そして、前記ゴムの音響抵抗ρｒｃｒと前記水の音響抵抗ρｗｃｗとの比ｒｗは、約２になる。
【００１０】
一方、空気の密度ρａは、約１．１３×１０−３ｇ／ｃｍ３であり、空気中での音速ｃａは、約３３０ｍ／ｓｅｃであるので、前記音響抵抗ρａｃａは、約３．７３×１０−２（単位は省略）になり、前記水の音響抵抗ρｗｃｗと前記空気の音響抵抗ρａｃａとの比ｒａは、約４．０２×１０４になる。
【００１１】
したがって、ゴムと水との境界よりも、ゴムと空気との境界のほうが、はるかに多くの音を反射することになる。さらに、ゴムは、空気中では良好な遮音部材として作用するが、水中では、遮音部材としては適していないということも言える。
【００１２】
前記従来の遮音板は、ゴムと空気との境界では、音の反射率が高いことに着目し、ゴム内に空気等で満たされた空間を設けているものである。
【特許文献１】特開２００１−１６６７７９号公報
【特許文献２】特開平８−１６０９６５号公報
【特許文献３】特開平８−２９４９８０号公報
【発明の開示】
【発明が解決しようとする課題】
【００１３】
ところで、水中の深いところに前記特許文献１に記載の従来の遮音板を設置すると、水中の高い圧力によって、前記遮音板内の空間の一部が押し潰され、前記空間の一方の内壁（前記遮音板の厚さ方向の一方の内壁）と前記空間の他方の内壁（前記遮音板の厚さ方向の他方の内壁）とが、前記空間のたとえば中央部で互いに接触する場合がある。
【００１４】
このように内壁同士が接触した部位が形成されると、前記内壁同士の接触部位では、空気が存在していないので、音波が伝達しやすくなり、遮音板の遮音性が阻害されるという問題がある。
【００１５】
また、前記特許２に記載の従来の遮音板では、空間内に独立気泡ゴムを設けてあるので、水中で圧力がかかっても、前記特許文献１に記載の従来の遮音板のように、空間の内壁同士が接触するおそれは少ないが、独立気泡ゴムが設けてあることにより、空気のみで空間が形成されている場合に比べ、音波の反射率が低下する。なお、水中の圧力により前記空間内の独立気泡ゴムが圧縮されると、音波の反射率が一層低下することがある。
【００１６】
さらに、前記特許３に記載の従来の遮音板では、空間内にプラスチックハニカムを設けてあるので、水中で圧力がかかっても、前記特許文献２に記載の前記従来の遮音板と同様に、空間の内壁同士が接触するおそれはないが、前記ハニカムを音波が通過し、空気のみで空間が形成されている場合に比べ、音波の反射率が低下する。
【００１７】
本発明は、上記問題点に鑑みてなされたものであり、液体中で使用される遮音部材において、前記液体の圧力が加わっても、良好な遮音性を維持することができる遮音部材を提供することを目的とする。
【課題を解決するための手段】
【００１８】
請求項１に記載の発明は、液体中で使用される遮音部材において、前記遮音部材の内部で前記遮音部材の一方の側に設けられている第１の空間と、前記遮音部材の内部で前記遮音部材の他方の側に設けられていると共に、前記遮音部材の内部に存在している内部隔壁を間にして、前記第１の空間から離れて設けられている第２の空間とを有し、前記遮音部材の一方の側と前記遮音部材の他方の側とを互いに結ぶ方向から眺めたときに、前記第１の空間の少なくとも一部と前記第２の空間の少なくとも一部とが互いに重なり合っており、前記遮音部材の外部の液体の圧力で、前記一方の側における前記遮音部材の外部と前記第１の空間との間に形成されている第１の隔壁が前記遮音部材の内側に撓み、前記第１の隔壁と前記内部隔壁とが互いに接触して第１の接触部が形成されるようになっており、前記遮音部材の外部の液体の圧力で、前記他方の側における前記遮音部材の外部と前記第２の空間との間に形成されている第２の隔壁が前記遮音部材の内側に撓み、前記第２の隔壁と前記内部隔壁とが互いに接触して第２の接触部が形成されるようになっており、前記遮音部材の一方の側と前記遮音部材の他方の側とを互いに結ぶ方向から眺めたときに、前記第１の接触部と前記第２の接触部とは、前記第１の空間と前記第２の空間とが互いに重なり合っている範囲内に存在していると共に、前記遮音部材の外部の液体の圧力が所定の大きさの圧力になるまでは、前記第１の接触部と前記第２の接触部とが異なったところに形成されるようになっている遮音部材である。
【００１９】
請求項２に記載の発明は、請求項１に記載の遮音部材において、前記遮音部材の外形は平板状に形成されており、前記第１の空間は、前記遮音部材の厚さ方向の一方の側で、前記遮音部材の厚さ方向の端面に沿って広がって形成されており、前記２の空間は、前記遮音部材の厚さ方向の他方の側で、前記遮音部材の厚さ方向の端面に沿って広がって形成されている遮音部材である。
【００２０】
請求項３に記載の発明は、請求項２に記載に遮音部材において、前記遮音部材の外部の液体の圧力が前記所定の大きさの圧力になるまでに形成される前記第１の接触部における前記第１の空間の厚さが、前記第１の接触部が形成される部位以外の部位における前記第１の空間の厚さよりも薄くなっており、前記遮音部材の外部の液体の圧力が前記所定の大きさの圧力になるまでに形成される前記第２の接触部における前記第２の空間の厚さが、前記第２の接触部が形成される部位以外の部位における前記第２の空間の厚さよりも薄くなっている遮音部材である。
【００２１】
請求項４に記載の発明は、請求項１〜請求項３のいずれか１項に記載の遮音部材において、前記遮音部材の外部の液体の圧力が前記所定の大きさの圧力になるまでに形成される前記第１の接触部以外の部位を前記第１の空間に形成するための第１の補強部材が設けられており、前記遮音部材の外部の液体の圧力が前記所定の大きさの圧力になるまでに形成される前記第２の接触部以外の部位を前記第２の空間に形成するための第２の補強部材が設けられている遮音部材である。
【００２２】
請求項５に記載の発明は、請求項４に記載の遮音部材において、前記補強部材は、前記遮音部材同士を互いに接続するための接続部材としての機能を備えた部材である遮音部材である。
【００２３】
請求項６に記載の発明は、液体中で使用される平板状の遮音部材において、前記遮音部材の内部であって前記遮音部材の厚さ方向の一方の側で前記遮音部材の幅方向に延伸し前記遮音部材の長さ方向に延伸して設けられていると共に、前記長さ方向に垂直な平面による断面が、前記遮音部材の幅方向の一方の側から他方の側に向かうにしたがって広くなるような形状に形成されている第１の空間と、前記遮音部材の内部であって前記遮音部材の厚さ方向の他方の側で前記遮音部材の幅方向に延伸し前記遮音部材の長さ方向に延伸して前記第１の空間とは離れて設けられていると共に、前記長さ方向に垂直な平面による断面が、前記遮音部材の幅方向の前記他方の側から前記一方の側に向かうにしたがって広くなるような形状に形成されている第２の空間とを有し、前記遮音部材の厚さ方向から眺めたときに、前記第１の空間の少なくとも一部と前記第２の空間の少なくとも一部とが互いに重なり合っている遮音部材である。
【００２４】
請求項７に記載の発明は、請求項６に記載の遮音部材において、前記第１の空間の、前記遮音部材の幅方向の他方の側に位置している端部、この端部の近傍、または、前記遮音部材の幅方向の端部に補強部材が設けられている遮音部材である。
【００２５】
請求項８に記載の発明は、請求項１〜請求項７のいずれか１項に記載の遮音部材において、前記遮音部材の肉部は合成樹脂、ゴム等の高分子化合物で構成されている遮音部材である。
【００２６】
請求項９に記載の発明は、液体中で使用される平板状の遮音部材において、前記遮音部材の内部で前記遮音部材の幅方向に延伸し前記遮音部材の長さ方向に延伸して設けられている空間を有し、前記遮音部材の肉部は、金属で構成されており、前記遮音部材の全体の比重が、前記液体の比重とほぼ等しいか、前記液体の比重よりも僅かに大きくなっている遮音部材である。
【００２７】
請求項１０に記載の発明は、液体中で使用される遮音部材において、前記遮音部材の内部には複数の空間が設けられており、前記遮音部材の一方の側と前記遮音部材の他方の側とを互いに結ぶ方向から眺めたときに、前記各空間の少なくとも一部が互いに重なり合っており、前記遮音部材の外部の液体の圧力により、前記各空間が変形し前記各空間の内壁の一部が互いに接触して接触部が形成されるようになっており、前記遮音部材の一方の側と前記遮音部材の他方の側とを互いに結ぶ方向から眺めたときに、前記接触部は、前記各空間が重なり合っている範囲内に形成されると共に、前記遮音部材の外部の液体の圧力が所定の大きさの圧力になるまでは、前記各空間が重なり合っている全範囲をおおうように、前記各空間のうちのいずれかの空間の非接触部が存在している遮音部材である。
【発明の効果】
【００２８】
本発明によれば、液体中で使用される遮音部材において、前記液体の圧力が加わっても、良好な遮音性を維持することができるという効果を奏する。
【発明を実施するための最良の形態】
【００２９】
[第１の実施形態]
図１は、本発明の第１の実施形態に係る遮音部材１の概略構成を示す図であり、図２は、図１におけるＩＩ矢視を示す図であり、図３は、図１におけるＩＩＩＡ−ＩＩＩＢ断面を示す図である。
【００３０】
遮音部材１は、海水中、湖水中、河川の水中等の液中で使用されるものである。本実施形態では、海水中で使用される場合を例に掲げて説明する。
【００３１】
前記遮音部材１の外形は、たとえば、矩形状であって平板状に形成されており、遮音部材１の肉部（材質部）は、液体を通さない合成樹脂（たとえば、アクリル、ポリエチレン）、ゴム（たとえば、ネオプレンゴム、シリコンゴム）等の高分子化合物で構成されており、前記遮音部材１の内部には、空気等の気体が入っている第１の空間３と第２の空間５とが設けられている。
【００３２】
前記第１の空間３は、たとえば、前記遮音部材１の厚さ方向の一方の側で、前記遮音部材１の厚さ方向の端面に沿って、板状に広がって形成されて設けられており、前記２の空間５も、前記遮音部材１の厚さ方向の他方の側で、前記遮音部材１の厚さ方向の端面に沿って、板状に広がって形成されて設けられている。
【００３３】
前記第２の空間５は、前記遮音部材１の内部に存在している内部隔壁７を間にして、前記第１の空間３から離れた状態で（前記第１の空間３とは連通していない状態で）設けられている。
【００３４】
そして、前記遮音部材１の前記一方の側と前記遮音部材１の前記他方の側とを互いに結ぶ方向（前記遮音部材１の厚さ方向）から眺めると、図２の符号１７で示す範囲で、前記第１の空間３の一部と前記第２の空間５の一部とが、互いに重なり合っている。
【００３５】
なお、前記第１の空間３の全部と前記第２の空間５の全部とが互いに重なり合うように構成されていてもよく（図４や図５参照）、または、前記第１の空間３の一部と前記第２の空間５の全部とが互いに重なり合うように構成されていてもよい。すなわち、前記第１の空間３の少なくとも一部と前記第２の空間５の少なくとも一部とが互いに重なり合うように構成されていてもよい。
【００３６】
前記遮音部材１を海水中の深いところに設置した場合、前記遮音部材１の外部の海水の圧力で、前記一方の側（遮音部材１の厚さ方向の一方の側）における前記遮音部材の外部と前記第１の空間３との間に形成されている第１の隔壁９が、前記遮音部材１の内側に図３に破線で示すように撓み、前記第１の隔壁９の一部と前記内部隔壁７の一部とが互いに接触して第１の接触部１１が形成されるようになっている。
【００３７】
また、前記他方の側（遮音部材１の厚さ方向の他方の側）における前記遮音部材１の外部と前記第２の空間５との間に形成されている第２の隔壁１３が、前記遮音部材１の内側に図３に破線で示すように撓み、前記第２の隔壁１３の一部と前記内部隔壁７の一部とが互いに接触して第２の接触部１５が形成されるようになっている。
【００３８】
また、前記遮音部材１の一方の側と前記遮音部材１の他方の側とを互いに結ぶ方向（前記遮音部材１の厚さ方向）から眺めたときに、前記第１の接触部１１と前記第２の接触部１５とは、前記第１の空間３と前記第２の空間５とが互いに重なり合っている範囲１７内に存在していると共に、前記遮音部材１の外部の海水圧力が所定の大きさの圧力になるまでは、前記第１の接触部１１と前記第２の接触部１５とが異なったところに形成されるようになっている（図２、図３参照）。
【００３９】
さらに、前記遮音部材１を海水中の深いところに設置する前の状態、すなわち、前記遮音部材１の外部に大きな圧力がかかっておらず前記遮音部材１が変形していない状態では、前記第１の接触部１１における前記第１の空間３の厚さ（前記遮音部材１の厚さ方向の厚さ）は、前記第１の接触部が形成される部位以外の部位１９における前記第１の空間３の厚さ（前記遮音部材１の厚さ方向の厚さ）よりも、薄くなっている。つまり、図３に示す厚さＴ１よりも厚さＴ３のほうが薄くなっている。
【００４０】
また、前記第１の空間３の場合と同様に、前記第２の接触部１５における前記第２の空間５の厚さ（前記遮音部材１の厚さ方向の厚さ）は、前記第２の接触部が形成される以外の部位２１における前記第２の空間５の厚さ（前記遮音部材の厚さ方向の厚さ）よりも、薄くなっている。つまり、図３に示す厚さＴ５よりも厚さＴ７のほうが薄くなっている。
【００４１】
ここで、前記各空間３、５の形態について例を掲げてより詳しく説明する。
【００４２】
図３に示すように、前記第１の空間３は、前記遮音部材１の厚さ方向の一方の側で前記遮音部材１の幅方向に延伸していると共に前記遮音部材１の長さ方向に延伸して、前記遮音部材１の厚さ方向で薄く形成されて設けられている。
【００４３】
また、前記第１の空間３の断面（遮音部材１の長さ方向に垂直な平面による断面）は、前記遮音部材１の幅方向の一方の側から他方の側に向かうにしたがって徐々に広くなるような三角形状に形成されている。
【００４４】
前記第２の空間５は、前記遮音部材１の厚さ方向の他方の側で前記遮音部材１の幅方向に延伸していると共に前記遮音部材１の長さ方向に延伸して、前記遮音部材１の厚さ方向で薄く形成されて設けられている。
【００４５】
また、前記第２の空間５の断面（遮音部材１の長さ方向に垂直な平面による断面）は、前記遮音部材１の幅方向の他方の側から一方の側に向かうにしたがって徐々に広くなるような三角形状に形成されている。
【００４６】
さらに、前記遮音部材１の厚さ方向から眺めたときに、前記第１の空間３の一部と前記第２の空間５の一部とが互いに重なり合っている（図２の符号１７参照）。
【００４７】
さらに、詳しく説明すると、図３に示すように、前記第１の空間３の断面形状は、１つ目の角が直角よりも僅かに小さな角度であり、２つ目の角が小さな鋭角である直角三角形状に形成されている。また、直角を挟んでいる一方の短い辺が前記遮音部材１の幅方向の他方の端面の近くに位置しており（端面と平行になるように位置しており）、直角を挟んでいる他方の長い辺が前記遮音部材１の厚さ方向の一方の面と平行になっていると共に、前記２つ目の小さな角が前記遮音部材１の幅方向の一方の面の近くに位置している。
【００４８】
前記第２の空間５の断面形状も、前記第１の空間３の断面形状と同様に、１つ目の角が直角よりも僅かに小さな角度であり、２つ目の角が小さな鋭角である直角三角形状に形成されている。また、直角を挟んでいる一方の短い辺が前記遮音部材１の幅方向の一方の端面の近くに位置しており（端面と平行になるように位置しており）、直角を挟んでいる他方の長い辺が前記遮音部材１の厚さ方向の他方の面と平行になっていると共に、前記２つ目の小さな角が前記遮音部材１の幅方向の前記他方の面の近くに位置している。
【００４９】
また、前記第１の空間３、前記第２の空間５が前述したように形成され配置されていることにより、前記第１の空間３の前記三角形状の断面の斜辺と、前記第２の空間５の前記三角形状の断面の斜辺とは、互いに平行になっており、前記各斜辺の間には、前記第１の空間３と前記第２の空間５とを仕切っている内部隔壁７が形成されている。
【００５０】
なお、前述したように、前記遮音部材１の厚さ方向から眺めたときに、図４（遮音部材における内部空間の別の配置形態を示す図であり、図１のＩＩＩＡ−ＩＩＩＢ断面に相当する図）に示すように、前記第１の空間３の全部と、前記第２の空間５の全部が互いに重なっていてもよい。さらに、前記第１の空間３の一部と、前記第２の空間５の全部が互いに重なっていてもよい。
【００５１】
また、図５（遮音部材における内部空間の別の配置形態を示す図であり、図１のＩＩＩＡ−ＩＩＩＢ断面に相当する図）に示すように、第１の空間３の断面形状を、前記遮音部材１の幅方向の他方の側から前記遮音部材１の幅方向の一方の側の端部の近傍までの間では、前記一方の側に向かうにしたがって徐々に広くなっており、前記遮音部材１の幅方向の一方の側の端部の近傍から前記遮音部材１の幅方向の一方の側の端部までの間では、急激に狭くなるような三角形状に形成してもよい。さらに、前記第２の空間５を前記第１の空間３と同様な形状に形成してもよい。
【００５２】
なお、図３〜図５に示す各空間３、５は、前記遮音部材１の長さ方向で一様な形状になっているが、必ずしも一様な形状である必要はなく、前記遮音部材１の長さ方向で形状が適宜変化していてもよい。
【００５３】
ところで、前記遮音部材１には、図３で示すように、前記第１の接触部１１以外の部位１９を前記第１の空間３に形成するための第１の補強部材（たとえば金属等の剛性の互い部材で構成された補強部材）２３が設けられている。
【００５４】
前記第１の補強部材２３は、前記第１の空間３の、前記遮音部材１の幅方向の他方の側に位置している端部で、前記遮音部材１の厚さ方向に延びて設けられている。また、前記第１の補強部材２３の幅（前記遮音部材１の幅と同じ方向の幅）は狭くなっており、したがって、遮音部材１の厚さ方向に垂直な断面による前記第１の補強部材２３の断面は小さく形成されている。
【００５５】
なお、前記補強部材２３は、前記遮音部材１の長さ方向に連続して設けられていてもよいし、間隔をあけて断続的に設けられていてもよい。
【００５６】
また、前記遮音部材１には、前記第２の接触部１５以外の部位２１を前記第２の空間５に形成するために、第１の補強部材２３と同様な第２の補強部材２５が、前記第２の空間５の、前記遮音部材１の幅方向の一方の側に位置している端部に設けられている。
【００５７】
なお、図６（補強部材の他の設置形態を示す図）に示すように、前記第１の補強部材２３が、前記第１の空間３の、前記遮音部材１の幅方向の他方の側に位置している端部の近傍に設けられていてもよい。
【００５８】
すなわち、たとえば、ＰＳ１で示すように前記第１の空間３内や、ＰＳ５で示すように前記遮音部材１の幅方向の端部に設けられていてもよい。さらに、前記第２の補強部材２５についても、前記第１の補強部材２３と同様に、ＰＳ３やＰＳ７で示す位置に設置されていてもよい。
【００５９】
また、前記各補強部材２３、２５がＰＳ５やＰＳ７で示すように前記遮音部材１の幅方向の端部に設けられている場合において、前記各補強部材２３、２５を、前記遮音部材１の厚さ方向に延出させ、この延出した部分によって、前記遮音部材１同士を互いに接続するための接続部材としての機能を、前記各補強部材２３、２５が備えるようにしてもよい。
【００６０】
つまり、前記各補強部材２３、２５を互いに接触させて対向させ、ボルト等の締結具で前記延出した部分を互いに固定することによって、前記各遮音部材１を互いに接続するようにしてもよい。
【００６１】
また、図４や図５に示す遮音部材においても、図３や図６に示す遮音部材１と同様に、補強部材２３、２５を設置してもよい。
【００６２】
遮音部材１によれば、遮音部材１の一方の側と遮音部材１の他方の側とを互いに結ぶ方向（たとえば遮音部材１の厚さ方向）から眺めたときに、前記遮音部材１の外部の海水の圧力が所定の大きさの圧力になるまでは、前記第１の接触部１１と前記第２の接触部１５とが異なったところに形成されるようになっている。
【００６３】
したがって、前記所定の圧力になるまでは、前記遮音部材１の厚さ方向から前記遮音部材１に進入した音波が、固有音響抵抗（背景技術のところで説明）が大きく異なることによって、前記遮音部材１の内部に存在している第１の空間３（圧力により破線で示すように小さくなった空間）と前記遮音部材１の材質部（肉部）との境界で反射するか、前記遮音部材１の内部に存在している第２の空間５（圧力により破線で示すように小さくなった空間）と前記遮音部材の材質部（肉部）との境界で反射するので、海水の圧力が加わっても、良好な遮音性を維持することができる。
【００６４】
すなわち、図３に各矢印ＡＲ１で示すように、図３の下から遮音部材１に向かって音波が到来した場合、この音波は、前記第１の空間３（圧力により破線で示すように小さくなった空間）と前記遮音部材１の材質部との境界、または、前記第２の空間５（圧力により破線で示すように小さくなった空間）と前記遮音部材１の材質部との境界のところで反射され、良好な遮音性を維持することができる。
【００６５】
なお、大きな圧力がかかっていない場合には、前記遮音部材１の厚さ方向から眺めたときに、第１の空間３と第２の空間５とが互いに重なり合っている部位が、広く形成されているので、遮音効果は当然に維持されている。
【００６６】
また、遮音部材１によれば、各補強部材２３、２５が設けられているので、各補強部材２３、２５が設けられている箇所において前記第１の空間３や前記第２の空間５が一層つぶれにくくなっており、遮音部材１がより圧力の高い海水中で使用されても、遮音効果を維持することができる。
【００６７】
また、各補強部材２３、２５が設けられているので、第１の空間３や第２の空間５の厚さ（前記遮音部材１の厚さ方向における厚さ）を薄くしても、海水中で圧力がかかったときに、前記第１の接触部１１と前記第２の接触部１５とを異なったところに形成させることができ、遮音部材１の厚さを薄く形成しても、遮音性を良好な状態に保つことができるようになっている。
【００６８】
また、遮音部材１において、前記各補強部材２３、２５に、前記各遮音部材１同士を互いに接続するための接続部材としての機能を持たせれば、別途接続用部材を設けることなく、各遮音部材１同士を容易に接続することができる。
【００６９】
さらに、遮音部材１によれば、前記遮音部材１の肉部を、比重が海水の比重に近いゴムや合成樹脂で構成してあるので、遮音部材１全体の比重（内部に形成されている各空間３、５を含めた比重）が海水の比重に近くなっており、したがって、前記遮音部材１を海中に沈めて設置した場合、前記遮音部材１の重量が海水の浮力で小さくなり、前記遮音部材１を支持することが容易になる。
【００７０】
［第２の実施形態］
図７は、本発明の第２の実施形態に係る遮音部材１ａの概略構成を示す図であり、図１のＩＩＩＡ−ＩＩＩＢ断面に相当する図である。
【００７１】
第２の実施形態に係る遮音部材１ａは、遮音部材の内部に形成されている各空間（第１の空間３３、第２の空間３５）の形態が、前記第１の実施形態に係る遮音部材１と異なり、その他の点は、前記第１の実施形態に係る遮音部材１とほぼ同様に構成されほぼ同様の効果を奏する。
【００７２】
すなわち、発明の第２の実施形態に係る遮音部材１ａは、第１の空間３３と第２の空間３５とを内部に備えている。
【００７３】
そして、前記第１の空間３３は、前記遮音部材１ａの厚さ方向の一方の側で、前記遮音部材１ａの幅方向に延伸し前記遮音部材１ａの長さ方向に延伸し、前記遮音部材１ａの厚さ方向で薄く形成されて設けられていると共に、前記長さ方向に垂直な平面による断面が、前記遮音部材１ａの幅方向の一方の側の部位から前記遮音部材１ａの幅方向の中間部に至るまでは第１の所定の幅Ｔ１１を備えた矩形状に形成され、前記遮音部材１ａの幅方向の前記中間部から前記遮音部材１ａの幅方向の他方の側の部位に至るまでは第１の所定の幅Ｔ１１よりも広い第２の所定の幅Ｔ１３を備えた矩形状に形成されていることにより、「Ｌ」字状に形成されている。
【００７４】
また、前記第２の空間３５は、前記遮音部材１ａの厚さ方向の他方の側で、前記遮音部材１ａの幅方向に延伸し前記遮音部材の長さ方向に延伸し、前記遮音部材１ａの厚さ方向で薄く形成されて設けられていると共に、前記長さ方向に垂直な平面による断面が、前記遮音部材１ａの幅方向の他方の側の部位から前記遮音部材１ａの幅方向の中間部に至るまでは第３の所定の幅Ｔ１５を備えた矩形状に形成され、前記遮音部材１ａの幅方向の中間部から前記遮音部材１ａの幅方向の一方の側の部位に至るまでは第３の所定の幅Ｔ１５よりも広い第４の所定の幅Ｔ１７を備えた矩形状に形成されていることにより、「Ｌ」字状に形成されている
また、前記遮音部材１ａの厚さ方向から眺めたときに、前記第１の空間３３の一部（幅Ｔ１１の部位）と前記第２の空間３５の一部（幅Ｔ１５の部位）とが互いに重なり合っている。
【００７５】
そして、前記遮音部材１ａを圧力が高い海水中に設置すると、図７に破線で示すように、前記遮音部材１ａの外壁が撓み、各空間３３、３５に各接触部３７、３９が形成されるが、これらの各接触部３７、３９は、前記遮音部材１ａの厚さ方向から眺めたときに、前記第１の実施形態に係る遮音部材１と同様に、互いが異なる箇所に形成されるようになっている。
【００７６】
なお、補強部材２３は、たとえば、前記第１の空間３３の端部（前記第２の所定の幅Ｔ１３で形成されている部位の端部）に設けられており、補強部材２５は、たとえば、前記第２の空間３５の端部（前記第４の所定の幅Ｔ１７で形成されている部位の端部）に設けられている。
【００７７】
［第３の実施形態］
図８は、本発明の第３の実施形態に係る遮音部材１ｂの概略構成を示す図であり、図１のＩＩＩＡ−ＩＩＩＢ断面に相当する図である。
【００７８】
第３の実施形態に係る遮音部材１ｂは、遮音部材の内部に形成されている各空間（第１の空間４３、第２の空間４５）の形態が、前記第１の実施形態に係る遮音部材１と異なり、その他の点は、前記第１の実施形態に係る遮音部材１とほぼ同様に構成されほぼ同様の効果を奏する。
【００７９】
すなわち、発明の第３の実施形態に係る遮音部材１ｂは、第１の空間４３と第２の空間４５とを内部に備えている。
【００８０】
そして、前記第１の空間４３は、前記遮音部材１ｂの厚さ方向の一方の側で、前記遮音部材１ｂの幅方向に延伸し前記遮音部材１ｂの長さ方向に延伸し、前記遮音部材１ｂの厚さ方向で薄く形成されて設けられていると共に、前記遮音部材１ｂの長さ方向に垂直な平面による断面が、長い帯状（たとえば長方形状）に形成されている。
【００８１】
また、前記第２の空間４５も、前記第１の空間４３と同様に、前記遮音部材１ｂの厚さ方向の他方の側で、前記遮音部材１ｂの幅方向に延伸し前記遮音部材１ｂの長さ方向に延伸し、前記遮音部材１ｂの厚さ方向で薄く形成されて設けられていると共に、前記長さ方向に垂直な平面による断面が、長い帯状（たとえば長方形状）に形成されている。
【００８２】
また、前記遮音部材１ｂの厚さ方向から眺めたときに、前記第１の空間４３の少なくとも一部と前記第２の空間４５の少なくとも一部とが互いに重なり合っている。
【００８３】
たとえば、前記第１の空間４３は、前記遮音部材１ｂの幅方向の一方の端面の近傍から他方の端面から所定の距離だけ離れたところまで、延伸して形成されている。前記第２の空間４５は、前記遮音部材１ｂの幅方向の他方の端面の近傍から一方の端面から所定の距離だけ離れたところまで、延伸して形成されている。
【００８４】
そして、前記遮音部材１ｂを圧力が高い海水中に設置すると、図８に破線で示すように、前記遮音部材１ｂの外壁が撓み、各空間４３、４５に各接触部４７、４９が形成されるが、これらの各接触部４７、４９は、前記遮音部材１ｂの厚さ方向から眺めたときに、前記第１の実施形態に係る遮音部材１と同様に、互いが異なる箇所に形成されるようになっている。
【００８５】
なお、補強部材２３は、前記遮音部材１ｂの幅方向の一方の端面の近傍に位置している前記第１の空間４３の端部に設けられており、補強部材２５は、前記遮音部材１ｂの幅方向の他方の端面の近傍に位置している前記第２の空間４５の端部に設けられている。
【００８６】
さらに、図９（第３の実施形態に係る遮音部材の変形例を示す図であり、図８に対応する図）に示すように、前記第１の空間４３と同様に形成された第１の空間５３と、前記第２の空間４５と同様に形成された第２の空間５５とを配置し、前記遮音部材１ｂの厚さ方向から眺めた場合、第１の空間５３の全部と前記第２の空間５５の全部とが互いに重なり合うようにしてもよい。
【００８７】
この場合、補強部材２３を、たとえば、前記遮音部材の幅方向の一端部側で前記第１の空間５３内に設置し、補強部材２５を、たとえば、前記遮音部材の幅方向の他端部側で前記第２の空間５５内に設置するようにする。
【００８８】
すると、図９に破線で示すように海水の圧力で前記遮音部材の外壁が撓み各空間５３、５５に各接触部５７、５９が形成されても、これらの各接触部５７、５９は、前記遮音部材の厚さ方向から眺めたときに、前記第１の実施形態に係る遮音部材１と同様に、互いが異なる箇所に形成される。
【００８９】
ところで、前記各実施形態では、第１の内部空間と第２の内部空間とを適宜設けてあるが、次のような構成の遮音部材にしてもよい。
【００９０】
すなわち、外形が平板状に形成され、内部で前記遮音部材の幅方向に延伸し前記遮音部材の長さ方向に延伸し、前記遮音部材の厚さ方向で薄く形成されて設けられている空間を有し、肉部が鋼等の金属（剛性の高い部材）で構成され、全体の比重（全体の重量を空間と肉部との容積で除した値）が、前記海水の比重とほぼ等しいか、海水の比重よりも僅かに大きくなっている遮音部材にしてもよい。
【００９１】
前記遮音部材によれば、全体の比重が、海水の比重とほぼ等しいか、海水の比重よりも僅かに大きくなっている。したがって、前記遮音部材を海中に沈めて設置した場合、前記遮音部材の重量が小さくなり、前記遮音部材を支持することが容易になる。
【００９２】
また、剛性の高い金属で遮音部材の肉部が形成されているので、海水中の圧力によっても、遮音部材が変形しにくくなっており、したがって空間が潰れにくくなっており、良好な遮音性を維持することができる。
【００９３】
ところで、前記各実施形態に係る遮音部材では、２つの空間を設けてある場合を例に掲げて説明したが、前記空間が３つ以上の複数設けられていてもよい。
【００９４】
すなわち、前記各実施形態に係る遮音部材において、前記遮音部材の内部には複数の空間が独立して設けられており、前記遮音部材の一方の側と前記遮音部材の他方の側とを互いに結ぶ方向から眺めたときに、前記各空間の少なくとも一部が互いに重なり合っており、前記遮音部材の外部の液体の圧力により、前記各空間が変形し前記各空間の内壁の一部が互いに接触して接触部が形成されるようになっており、前記遮音部材の一方の側と前記遮音部材の他方の側とを互いに結ぶ方向から眺めたときに、前記接触部は、前記各空間が重なり合っている範囲内に形成されると共に、前記遮音部材の外部の液体の圧力が所定の大きさの圧力になるまでは、前記各空間が重なり合っている全範囲をおおうように、前記各空間のうちのいずれかの空間の非接触部（前記接触部以外の部位）が存在しているようにしてもよい。
【００９５】
換言すれば、前記遮音部材の一方の側と前記遮音部材の他方の側とを互いに結ぶ方向から眺めたときに、前記遮音部材の外部の液体の圧力が所定の大きさの圧力になるまでは、前記各空間が重なり合っている範囲のうちのいずれの部位においても、前記各空間のうちのいずれかの空間の非接触部が存在しているようにしてもよい。
【図面の簡単な説明】
【００９６】
【図１】本発明の第１の実施形態に係る遮音部材の概略構成を示す図である。
【図２】図１におけるＩＩ矢視を示す図である。
【図３】図１におけるＩＩＩＡ−ＩＩＩＢ断面を示す図である。
【図４】遮音部材の内部空間の別の配置形態を示す図であり、図１のＩＩＩＡ−ＩＩＩＢ断面に相当する図である。
【図５】遮音部材の内部空間の別の配置形態を示す図であり、図１のＩＩＩＡ−ＩＩＩＢ断面に相当する図である。
【図６】補強部材の他の設置形態を示す図である。
【図７】本発明の第２の実施形態に係る遮音部材の概略構成を示す図であり、図１のＩＩＩＡ−ＩＩＩＢ断面に相当する図である。
【図８】本発明の第３の実施形態に係る遮音部材の概略構成を示す図であり、図１のＩＩＩＡ−ＩＩＩＢ断面に相当する図である。
【図９】第３の実施形態に係る遮音部材の変形例を示す図であり、図８に対応する図である。
【符号の説明】
【００９７】
１、１ａ、１ｂ  遮音部材
３、３３、４３  第１の空間
５、３５、４５  第２の空間
７  内部隔壁
９  第１の隔壁
１１  第１の接触部
１３  第２の隔壁
１５  第２の接触部
１９  第１の接触部以外の部位
２１  第２の接触部以外の部位
２３、２５  補強部材
【図１】
2006030228.tif 000003
【図２】
2006030228.tif 000004
【図３】
2006030228.tif 000005
【図４】
2006030228.tif 000006
【図５】
2006030228.tif 000007
【図６】
2006030228.tif 000008
【図７】
2006030228.tif 000009
【図８】
2006030228.tif 000010
【図９】
2006030228.tif 000011